(57)【要約】  本発明は、音響信号の拡散を最適化し、かくして従来のステレオシステムに置換するための空間的配設（１０００）に関する。このために、空間的配設（１０００）は、空間化された音響信号を拡散するように適応され、Ｎを３より大きい整数として、空間化された音響信号はＮ個の互いに明確に異なるオーディオ信号を含み、空間的配設（１０００）は、大部分が舞台（１）の幅全体にわたって分布しているＮ個の音響拡散装置（１００）セットを含む。各々の音響拡散装置（１００）は、１つのオーディオ信号を受信し、伝送されたオーディオ信号の音を増幅し拡散する。詳細には、各々の音響拡散装置（１００）は、受信したオーディオ信号によって伝送された音の特性、特に音響周波数帯域およびオーディオ信号の周波数帯域の音響強度を再生し保存するために特定的に適応されている。【選択図】図４
2021500790.tif 000002
【特許請求の範囲】
【請求項１】
舞台（１）用の音響拡散装置（１００）の空間的配設（１０００）において、空間化された音響信号を拡散するように適応され、Ｎを厳密に３より大きい整数として、空間化された音響信号がＮ個の互いに明確に異なるオーディオ信号を含み、大部分が舞台（１）の幅全体にわたって分布しているＮ個の音響拡散装置（１００）セットを含み、各々の音響拡散装置（１００）が１つのオーディオ信号を受信し、音響拡散装置（１００）がオーディオ信号を増幅し拡散するように適応されている音響拡散装置の空間的配設であって、各々の音響拡散装置（１００）が、受信したオーディオ信号の特性、特に音響周波数帯域およびオーディオ信号の周波数帯域の音響強度を再生し保存するために特定的に適応されていることを特徴とする、音響拡散装置の空間的配設（１０００）。
【請求項２】
音響拡散装置（１００）が、音響特性の異なる少なくとも２つのタイプ（Ａ、Ｂ）のものであること、および舞台上の少なくとも１つの中央領域（ＺＣ）および少なくとも２つの側方領域（ＺＬ１、ＺＬ２）が画定され、中央領域（ＺＣ）が第１のタイプ（Ａ）にしたがった少なくとも２つの音響拡散装置（１００）を含み、側方領域（ＺＬ１、ＺＬ２）の各々が第２のタイプ（Ｂ）にしたがった少なくとも１つの音響拡散装置を含むことを特徴とする、請求項１に記載の空間的配設（１０００）。
【請求項３】
音響拡散装置（１００）が、舞台（１）の枠と全体的に整列させられ、舞台（１）の上方に位置決定されていることを特徴とする、請求項２に記載の空間的配設（１０００）。
【請求項４】
空間的配設（１０００）がさらに、第３の音響拡散装置（１００）タイプ（Ｃ）を含み、この第３の音響拡散装置（１００）タイプ（Ｃ）が、第３のタイプ（Ｃ）の拡散装置（１００）によって受信された単数または複数のオーディオ信号によって伝送された音のバス、および、ｉｎｆｒａ−ｇｒａｖｅｓ（インフラバス）を拡散するように適応されている、請求項３に記載の空間的配設（１０００）。
【請求項５】
第３のタイプ（Ｃ）の拡散装置が中央領域（ＺＣ）内に位置決定されていることを特徴とする、請求項４に記載の空間的配設（１０００）。
【請求項６】
Ｍを１以上の整数として、舞台の左側にＭ個のスピーカシステムの第１の垂直方向スタック（３）と、第１のスタック（３）と同一の舞台の右側のＭ個のスピーカシステム（３）の第２の垂直方向スタック（３）とを含むステレオ配設（１０）に置換する目的で、Ｘを２以上の整数として、２Ｍ／Ｘ個以下の数量のスピーカシステムを含む中央領域（ＺＣ）内の第１のタイプ（Ａ）のＸ個の音響拡散装置を含む、請求項２から５のいずれか一つに記載の空間的配設（１０００）。
【請求項７】
ＭおよびＹを１以上の２つの整数として、各々Ｙ個のサブバススピーカシステムを含む一方が舞台の左側に配置される１セット（４）ともう一方が右側に配置される１セット（４）の計２個の同一のセット（４）、ならびに、舞台の左側のＭ個のスピーカシステムの第１の垂直方向スタック（３）、および、第１のスタック（３）と同一の舞台の右側のＭ個のスピーカシステムの第２の垂直方向スタック（３）を含むステレオ配設（１０）に置換する目的で、第３のタイプ（Ｃ）の音響拡散装置を構成するための２Ｙ以下の数のサブバススピーカシステム、ならびに、Ｘを２以上の整数として、２Ｍ／Ｘ以下の数量のスピーカシステムを含む、中央領域（ＺＣ）内の第１のタイプ（Ａ）のＸ個の音響拡散装置を含む、請求項４または５に記載の空間的配設（１０００）。
【請求項８】
第２のタイプ（Ｂ）の音響拡散装置（１００）が、ミドル／トレブル帯域内の第１のタイプ（Ａ）の音響拡散装置（１００）のもの以下の固有最大音響出力を送出する、請求項２から７のいずれか一つに記載の空間的配設（１０００）。
【請求項９】
第２のタイプ（Ｂ）の音響拡散装置（１００）が、低周波数帯域内の第１のタイプ（Ａ）の音響拡散装置（１００）のものに比べて少なくとも２ｄＢ低い固有最大音響出力を送出する、請求項２から８のいずれか一つに記載の空間的配設（１０００）。
【請求項１０】
ステレオ配設（１０）に置換するための舞台（１）用の音響拡散装置（１００）の最適化された空間的配設（１０００）を決定するための方法において、
ステレオ配設（１０）は、Ｍを１以上の整数として、舞台の左側のＭ個のスピーカシステム（３）の第１の垂直方向スタック（３）、および、第１のスタック（３）と同一の舞台の右側のＭ個のスピーカシステムの第２の垂直方向スタック（３）を含み、
Ｎを３より大きい整数として、最適化された空間的配設（１０００）は、Ｎ個の音響拡散装置（１００）を含み、空間的配設（１０００）は、空間化された音響信号を拡散するように適応され、空間化された音響信号がＮ個の互いに明確に異なるオーディオ信号を含み、空間化された音響信号が拡散の上流側で実現される音響創出プロセスに由来しており、各々の音響拡散装置（１００）が１つのオーディオ信号を受信し、音響拡散装置（１００）がオーディオ信号を増幅し拡散するように適応されており、
−  音響拡散装置（１００）が、音響特性の異なる少なくとも２つのタイプ（Ａ、Ｂ）を得るような形で選択される、選択ステップ（Ｓ１００）と、
−  少なくとも１つの中央領域（ＺＣ）、および、少なくとも２つの側方領域（ＺＬ１、ＺＬ２）を画定する、舞台の幅全体の分割ステップ（Ｓ２００）と、
−  Ｘを２以上の整数として、２Ｍ／Ｘ以下の数量のスピーカシステムを含むＸという数の第１のタイプ（Ａ）の音響拡散装置が中央領域（ＺＣ）内に配置され、Ｎ−Ｘという数の第２のタイプ（Ｂ）の音響拡散装置（１００）が側方領域（ＺＬ１、ＺＬ２）内に配置される、音響拡散装置（１００）の設置ステップ（Ｓ３００）と、を含む方法。
【請求項１１】
ステレオ配設（１０）が同様に、Ｙを１以上の整数として、各々Ｙ個のサブバススピーカシステムを含む２つの同一のセット（４）を含む場合に、一方のセット（４）は舞台（１）の左側に配置され、もう一方のセット（４）は右側に配置され、
−  選択ステップ（Ｓ１００）に際して、音響拡散装置（１００）は、第１および第２のタイプ（Ａ、Ｂ）とは音響特性が異なる第３のタイプ（Ｃ）も得るような形で選択され、
−  音響拡散装置（１００）の設置ステップ（Ｓ３００）に際しては、第３のタイプ（Ｃ）の音響拡散装置を構成するための２Ｙ以下の数のサブバススピーカシステムが中央領域（ＺＣ）内に配置される、請求項１０に記載の方法。
【発明の詳細な説明】
【技術分野】
【０００１】
本発明は、コンサートホールまたは野外フェスティバル用の舞台のような上演舞台向けの音響拡散装置の空間的配設に関する。
【背景技術】
【０００２】
今日、コンサートの音響装置は、舞台の枠の左側と右側に配設された、２つの立上った拡散地点によって主として実施されている。図１ａは、このようなステレオ配設１０を表わしている。
【０００３】
この例では、Ｍを１以上の整数として、Ｍ個のスピーカシステムの垂直方向スタック３が舞台１の左側Ｇに配置され、同じスタック３が舞台１の右側に配置されている。この場合、これらの垂直方向のスピーカシステム群は、全体として舞台の幅Ｌ以内にとどまりながら、舞台１の左側Ｇおよび右側Ｄに懸吊されている。
【０００４】
このステレオ配設１０は同様に、一方がスピーカシステムスタック３の下で舞台の枠の左側Ｇに配置され、もう一方が右側Ｄに配置された２つの同一のサブバススピーカシステムのセット４をも含み、各セット４は、Ｙを１以上の整数として、Ｙ個という数のサブバススピーカシステムを含んでいる。
【０００５】
これらのサブバススピーカシステムセット４は、立上げられているか、または床に据え付けられるか、さらには、舞台１に対する共線ラインに沿って、聴衆２のいるフロアに配置させられる可能性がある。
【０００６】
図１ａによって描かれているようなステレオ配設１０は、同一の、または、異なる２つのオーディオ信号を拡散させるために適応されている。
【０００７】
ステレオ配設１０によって拡散される２つの信号が内容的、および、強度的に同一である場合には、左側Ｇおよび右側Ｄの２つの拡散地点によって形成されるラインの垂直二等分線上に聴衆が居さえすれば、２つのスピーカシステムスタック３の間の中央で、等価の音源がそこで感知される。
【０００８】
このライン上に位置する聴衆のためには、２つのスピーカシステムスタック３の中に注入される信号の相対的強度を加減することにより、音源をさらに空間化することができる。
【０００９】
空間化とは、舞台１上に位置する楽器が発する音のような特定の音の発出領域を空間の中で位置特定できることを意味する。発出がとらえられて、増幅され、次に、音響装置の配設によって復元される音源の場合、この音源が位置する空間の領域と、この同じ音源からの音響発出を聴衆が知覚する空間の領域との間に一致が存在する場合に「良好な空間化」と言われる。
【００１０】
強度の立体音響効果は、左側のスタック３によって拡散される信号の強度、および／または、右側のスタック３によって拡散される信号の強度を変動させることによって、音源の空間化を修正することを可能にする。このとき、等価の音源を２つのスピーカシステムスタック３間で空間化することができる。しかしながら、空間化は、垂直二等分線上に位置する聴衆に対して適正に機能する。垂直二等分線の外に位置する聴衆にとっては、空間化は不良である。
【００１１】
左右の２つのスピーカシステムスタック３によって再現される内容的に同一の２つのオーディオ信号（例えば中心に設置された音源）を使用すると、聴衆が垂直二等分線上にいなくなると直ちに知覚可能な干渉が発生する。これらの干渉は、再現すべきメッセージの再現品質、特に了解度を大幅に劣化させる効果をもつ。この場合、音響エンジニアは当然のことながら、干渉の規模を制限するため２つのスピーカシステムスタック３のカバーする範囲の重なりを回避することになる。
【００１２】
拡散された２つのオーディオ信号が内容的に異なる場合、干渉現象ははるかに目立たなくなり、異なる２つの地点において２つの音源を空間化することもまた、可能である。干渉はもはや問題でない（各々のスピーカシステムスタック３が特定のオーディオ信号を再現するという極端な場合）ことから、音響エンジニアは、聴衆が、右側に位置するスタック３により拡散されたオーディオ信号と左側に位置するスタック３により拡散されたオーディオ信号とを同時に聞くことができるように、２つのスピーカシステムスタック３の共通のカバーする範囲を最大限にしようとする。共通のカバーする範囲外に位置付けられた聴衆には、２つのオーディオ信号ではなく、左右のスピーカシステムスタック３により拡散されたオーディオ信号のいずれか一方が聞こえることになる。
【００１３】
したがって、同一のオーディオ信号の場合に示される勧告との間に矛盾が存在することが分かる。
【００１４】
したがって、ステレオ配設１０では、空間化されたオーディオ信号の了解度と優れた空間化を全ての聴衆のために調和させることは不可能と思われる。
【００１５】
図１ｂは、舞台１の左側、および、右側で同一のオーディオ信号を拡散させる図１ａのステレオ配設１０の備わった劇場の上面図を表わす。この図１ｂでは、音の空間化の質は、垂直二等分線５に近い領域に対応する優れた空間化の領域ＺＢＳについては明灰色で、空間化の質が中程度である領域ＺＭＳについては暗灰色で、そして空間化の質が低く、聴衆が全てのスピーカシステムスタック３を知覚しない領域ＺＦＳについては白色で表わされている。
【００１６】
図１ｃは、図１ａに示されたステレオ配設１０の左Ｇ、および、右Ｄの音響拡散地点によって生成される、２０Ｈｚ〜６３Ｈｚの周波数範囲にわたる音響レベルを表わしている。この図には同様に、干渉領域の典型的な音響レベルの損失も見られる。音質は、大幅に劣化している。
【００１７】
コンサートの音響装置には、聴衆の大部分がこの垂直二等分線５の外にいる、大勢の聴衆２のために、音楽内容を可能なかぎり良好に再現するという役目がある。この事実確認をふまえて、左側Ｇ、および、右側Ｄの２つの拡散地点を、舞台に対し共線的に配置された（技術的特性、および、スピーカシステムの品質において）同一の拡散地点のセットにより置換することから成るマルチチャンネル式音響装置が採用され始めている。
【００１８】
この配置により音響エンジニアは、空間化された音源を表わすオーディオ信号をそれらに最も近い拡散地点に位置付けることが可能になる。ここで、空間化されたオーディオ信号が話題となる。
【００１９】
聴衆２がこれらの拡散地点の共通のカバーする範囲内にいる場合、先に説明した問題点は解決する。したがって、マルチチャンネル式音響装置のための拡散地点の共通のカバーする範囲の最大化が追求される。
【００２０】
実際、各音源は、それに最も近くに位置決定された唯一の拡散地点によって再現され得る。その結果、音は音源の物理的位置に整合して発出され、位置決定が良いと言われる。要するに、この再現は大部分が１つの拡散地点から行なわれることから、音質は干渉が無いため最適である。
【００２１】
しかしながら、この構成は、パワフルかつダイナミックで、低音域で重いスペクトル成分を有する現代音楽を再現する場合には、最適ではない。
【００２２】
特に、左／右構成で行なってきたものと同数のスピーカシステムを各々のマルチチャンネル式拡散地点に置くことは、予算の問題と同時に舞台の視覚妨害の問題から見ても不合理であると思われる。
【発明の概要】
【発明が解決しようとする課題】
【００２３】
したがって、先行技術の欠陥、欠点、および、障害を緩和する、異なるタイプの楽器およびその特異性、楽器の密度など、音響装置における音楽の空間化に結び付けられる要件を考慮に入れる真の必要性、特にこれらの異なるパラメータを制御できるようにする空間的配設の必要性が存在する。
【課題を解決するための手段】
【００２４】
上述の１つ以上の欠点を解決するため、本発明は、舞台用の音響拡散装置の空間的配設において、空間化された音響信号を拡散するように適応され、Ｎを３より大きい整数として、空間化された音響信号がＮ個の互いに明確に異なるオーディオ信号を含み、大部分が舞台の幅全体にわたって分布しているＮ個の音響拡散装置セットを含み、各々の音響拡散装置が１つのオーディオ信号を受信し、音響拡散装置がオーディオ信号を増幅し拡散するように適応されている音響拡散装置の空間的配設であって、各々の音響拡散装置が、受信したオーディオ信号の特性、特に音響周波数帯域およびオーディオ信号の周波数帯域の音響強度を再生し保存するために特定的に適応されていることを特徴とする、音響拡散装置の空間的配設に関する。
【００２５】
有利には、音響拡散装置は、音響特性の異なる少なくとも２つのタイプのものであり、舞台上の少なくとも１つの中央領域、および、少なくとも２つの側方領域が画定され、中央領域は第１のタイプにしたがった少なくとも２つの音響拡散装置を含み、側方領域の各々は第２のタイプにしたがった少なくとも１つの音響拡散装置を含む。
【００２６】
舞台の枠内の音響拡散装置の視覚的印象を限定するため、そして、舞台に最も近い人を過度に高い音圧レベルに曝露しないために、音響拡散装置は、舞台の枠に全体的に整列させられ、概してコンサートホール内で使用されている標準的な担持構造上に組付けられた状態で、舞台の上方に位置決定されている。
【００２７】
単独で、または、組合せた形で使用可能な特定の特徴、または、実施形態は、以下の通りである。
・  空間的配設はさらに、第３の音響拡散装置タイプを含み、この第３の音響拡散装置タイプは、第３のタイプの拡散装置によって受信された単数または複数のオーディオ信号によって伝送された音のバス、および、ｉｎｆｒａ−ｇｒａｖｅｓ（インフラバス）を拡散するように適応されている。
○  第３のタイプの拡散装置は中央領域内に位置決定されている。
・  空間的配設は以下のものを含む。
○  Ｍを１以上の整数として、舞台の左側にＭ個のスピーカシステムの第１の垂直方向スタックと、第１のスタックと同一の舞台の右側のＭ個のスピーカシステムの第２の垂直方向スタックとを含むステレオ配設に置換する目的で、Ｘを２以上の整数として、２Ｍ／Ｘ個以下の数量のスピーカシステムを含む中央領域内の第１のタイプのＸ個の音響拡散装置、または
○  ＭおよびＹを１以上の２つの整数として、各々Ｙ個のサブバススピーカシステムを含む一方のセットが舞台の左側に配置され、もう一方のセットが右側に配置される計２個の同一のセット、ならびに舞台の左側のＭ個のスピーカシステムの第１の垂直方向スタック、および、第１のスタックと同一の舞台の右側のＭ個のスピーカシステムの第２の垂直方向スタックを含むステレオ配設に置換する目的で、第３のタイプの音響拡散装置を構成するための２Ｙ以下の数のサブバススピーカシステム、ならびに、Ｘを２以上の整数として、２Ｍ／Ｘ以下の数量のスピーカシステムを含む、中央領域内の第１のタイプのＸ個の音響拡散装置。
・  第２のタイプの音響拡散装置は、ミドル／トレブル帯域内の第１のタイプの音響拡散装置の音響出力以下の固有最大音響出力を送出するか、および／または
・  第２のタイプの音響拡散装置は、低周波数帯域内の第１のタイプの音響拡散装置の音響出力に比べて、少なくとも２ｄＢ低い固有最大音響出力を送出する。
【００２８】
第２の態様において、本発明は、ステレオ配設に置換するための舞台用の音響拡散装置の最適化された空間的配設を決定するための方法において、
−  ステレオ配設は、Ｍを１以上の整数として、舞台の左側のＭ個のスピーカシステムの第１の垂直方向スタック、および、第１のスタックと同一の舞台の右側のＭ個のスピーカシステムの第２の垂直方向スタックを含み、
−  最適化された空間的配設は、Ｎ個の音響拡散装置を含み、空間的配設は、空間化された音響信号を拡散するように適応され、Ｎを３より大きい整数として、空間化された音響信号がＮ個の互いに明確に異なるオーディオ信号を含み、空間化された音響信号が拡散の上流側で実現される音響創出プロセスに由来しており、各々の音響拡散装置が１つのオーディオ信号を受信し、音響拡散装置がオーディオ信号を増幅し拡散するように適応されており、
−  音響拡散装置が、音響特性の異なる少なくとも２つのタイプを得るような形で選択される、選択ステップと、
−  少なくとも１つの中央領域、および少なくとも２つの側方領域を画定する、舞台の幅全体の分割ステップと、
−  Ｘを２以上の整数として、２Ｍ／Ｘ以下の数量のスピーカシステムを含むＸという数の第１のタイプの音響拡散装置が中央領域内に配置され、Ｎ−Ｘという数の第２のタイプの音響拡散装置が側方領域内に配置される、音響拡散装置の設置ステップと、
を含む方法に関する。
【００２９】
ステレオ配設が同様に、Ｙを１以上の整数として、各々Ｙ個のサブバススピーカシステムを含む２つの同一のセットを含む場合に、一方のセットは舞台の左側に配置され、もう一方のセットは右側に配置され、該方法は、有利には以下のように整備される。
−  選択ステップに際して、音響拡散装置は、第１のタイプ、および、第２のタイプとは音響特性が異なる第３のタイプも得るような形で選択され、
−  音響拡散装置の設置ステップに際しては、第３のタイプの音響拡散装置を構成するための２Ｙ以下の数のサブバススピーカシステムが中央領域内に配置される。
【００３０】
本発明は、単に一例としてのみ記されている以下の説明を、添付の図面を参照しながら読むことによってより良く理解されるものである。
【図面の簡単な説明】
【００３１】
【図１ａ】従来のステレオ配設を表わす。
【図１ｂ．１ｃ】音響拡散地点によって拡散された音の空間化の質、および２０Ｈｚ〜６３Ｈｚの周波数範囲にわたり音響拡散地点によって生成された音響レベルをそれぞれに例示する、図１ａにしたがった左右のスピーカシステムスタックの各々の中で同一のオーディオ信号を拡散する従来のステレオ配設の上面図を表わす。
【図２ａ．２ｂ】本発明の第１の実施形態に係る空間的配設を表わす。
【図３ａ】本発明の第２の実施形態に係る空間的配設を表わす。
【図３ｂ】図３ａの空間的配設において利用される異なるタイプの音響拡散装置の周波数に応じた、ＳＰＬ（音圧レベル）のｄＢの応答曲線を表わす。
【図４】本発明の第３の実施形態に係る空間的配設を表わす。
【図５．６】異なる楽器（または音源）のｄＢｕの振幅を表わす。
【図７】空間化された７つのオーディオ信号のｄＢｕのエネルギー分布を表わす。
【図８ａ】ステレオ配設を表わす。
【図８ｂ】図８ａのステレオ配設に置換することを目的とする本発明の第４の実施形態に係る空間的配設を表わす。
【図９ａ】ステレオ配設を表わす。
【図９ｂ】図９ａのステレオ配設に置換することを目的とする本発明の第４の実施形態の一変形形態に係る空間的配設を表わす。
【図１０．１１】本発明の第５および第６の実施形態に係る空間的配設を表わす。
【図１２ａ−１２ｃ】ステレオ配設に置換することを目的として本発明の空間的配設を決定するための方法の異なる概要を表わす。
【発明を実施するための形態】
【００３２】
定義
以下の記述において、「舞台の枠」なる用語は、舞台が占有する表面によって画定される空間、ならびに、この表面の上方に位置する空間を意味する。
【００３３】
「空間化された音響信号」なる用語は、と言うと、それは、復元され、拡散される場合に、聴取領域内で空間的印象を復元するように構成された音響信号に対応する。
【００３４】
これは、イベントの際に使用される音響拡散装置の物理的配置を予測しながらの公開拡散の上流側での、あるいは、（ライブ状況）の録音された音、および／または、舞台上の受信装置から実時間での音響創出プロセスに由来するものであり得る。
【００３５】
これには、あらゆる場合において、空間的情報（方位角、距離、高度、音源の幅等）を各々の音に結び付け、こうして１つの「音源」を形成することが仮定される。デバイス（プロセッサ、情報処理プログラム）はこのとき、オーディオ信号を創出することができ、これらのオーディオ信号はその位置、空間化された信号、および、各々の音源に結び付けられた空間的情報に応じて、単数または複数の拡散装置へと伝送されることになる。
【００３６】
プロセッサ／プログラムは、このために空間化技術を基礎としており、この技術の例としては以下のものが挙げられる。
・  強度立体音響効果の拡張（例えば、ベクター・ベースのアンプリチュードパンニング）。
・  波動方程式の直交解に基づく技術（例えば、球面座標については３Ｄ、極座標については２次元での高次アンビソニクス）。
・  極限を伴う式に基づく技術（例えば、波面合成方式）。
【００３７】
これらの技術は全て、単数または複数の音響拡散装置に伝送されることになるオーディオ信号を創出し、かつ、必要とされる空間的印象を創出するために、各々の音源に結び付けられた信号の修正を可能にするフィルタリング作業を規定する。こうして、オーディオ信号は、オーディオ信号が結び付けられている音響拡散装置によって再度伝送されることになる複数の楽器の空間化された音を格納することができる。
【００３８】
オーディオ信号の生成の際に規定された音響拡散装置の特定の配設（位置のみ）によって拡散されるための空間的音響舞台を再創出するような形で、多数の音源の信号を組合わせることが可能である。
【００３９】
「音響拡散装置」を取上げる場合、これは、周波数範囲、または周波数帯域が同一であるか、または異なるものであり得る、単数または複数の音源、またはスピーカシステムで構成され得る。
【００４０】
任意ではあるが業界では頻繁に用いられる分割が、２０Ｈｚ〜２０ｋＨｚである人間の可聴スペクトルを少なくとも部分的にカバーする音響スペクトルを３つか４つの周波数帯域に分割する。高周波数すなわちＨＦ帯域が、トレブルと呼ばれる音に対応する最も高い周波数、つまり典型的には、１ｋＨｚ〜２０ｋＨｚの範囲をカバーする。中周波数すなわちＭＦ帯域が、中間周波数、つまり典型的には２００Ｈｚ〜１ｋＨｚの範囲をカバーする。低周波数すなわちＢＦ帯域が、バス音と呼ばれる音に対応する低周波数、つまり典型的には６０Ｈｚ〜２００Ｈｚの範囲をカバーする。最後に、任意のサブバス、または、ｉｎｆｒａ−ｇｒａｖｅｓ（インフラバス）と呼ばれる音に対応する非常に低い周波数、すなわち、ＴＢＦ帯域が、最も低い周波数、つまり典型的には６０Ｈｚ未満の周波数をカバーする。
実施形態
【００４１】
図２ａは、舞台１のための音響拡散装置１００の空間的配設１０００の本発明に係る第１の実施形態を例示する。
【００４２】
舞台１は、コンサートホールにおいて、または、野外フェスティバルの際に見られるタイプの舞台であり得る。典型的には、この種の舞台は、１０ｍ〜４０ｍの幅、および、５ｍ〜４０ｍの奥行を有する。
【００４３】
空間的配設１０００は、Ｎを３より大きい整数として、互いに明確に異なる、すなわちオーディオ信号が持つオーディオ情報に関して異なるＮ個のオーディオ信号を含む空間化された音響信号を拡散するように適応されている。ここで喚起すると、図１ａにおいて先に例示したもののような現在のステレオシステムは、一方が左側拡散地点Ｇ用と、もう一方が右側拡散地点Ｄ用という、２つのオーディオ信号しか含んでいないことが指摘される。サブバス装置は、専用信号を受信することができる。
【００４４】
さらに、空間的配設１０００は、主に、舞台１の幅全体にわたって分布したＮ個の音響拡散装置１００のセットを含む。
【００４５】
各々の音響拡散装置１００は、１つのオーディオ信号を受信し、音響拡散装置１００は、受信したオーディオ信号を増幅し拡散するように適応されている。
【００４６】
その上、拡散される音楽の特異性、特に異なる楽器タイプ、それらのそれぞれの周波数の強度および範囲を考慮に入れるため、各々の音響拡散装置１００は、受信した単数または複数のオーディオ信号の特性、特に音響周波数帯域、および伝送された音の周波数帯域の音響強度を再現し保存するために特定的に適応されている。
【００４７】
楽器密度が舞台１の中心においてより大きいものである従来の空間的構成に最も近いものとなるように、音響拡散装置１００は、その音響特性、特に、固有最大音響出力が異なる少なくとも２つのタイプＡ、および、タイプＢのものであること、そして、図２ｂ上に例示されているように、舞台１上の少なくとも１つの中央領域ＺＣ、および、少なくとも２つの側方領域ＺＬ１およびＺＬ２を画定し、中央領域ＺＣが第１のタイプＡにしたがった少なくとも２つの音響拡散装置１００を含み、側方領域ＺＬ１およびＺＬ２の各々が第２のタイプＢにしたがった少なくとも１つの音響拡散装置を含むようにすることが有利である。
【００４８】
例えば、第２のタイプＢの音響拡散装置１００は、
・  ミディアム／トレブル帯域内で、タイプＡの音響拡散装置１００の強度以下の、固有最大音響出力の方向における強度、および／または
・  低周波数帯域内で、タイプＡの音響拡散装置１００の強度に比べて少なくとも２ｄＢ低い、固有最大音響出力の方向における強度、
を送出することができる。
【００４９】
例えば、図３ａは、本発明の第２の実施形態に係る空間的配設１０００を表わす。この実施形態においては、舞台１の中央領域ＺＣ内に第１のタイプＡの３つの音響拡散装置１００が配置され、各々の側方領域ＺＬ１およびＺＬ２は第２のタイプＢの１つの音響拡散装置１００を含む。
【００５０】
図３ｂは、第１のタイプＡの音響拡散装置１００の周波数および第２のタイプＢの音響拡散装置１００の周波数に応じたＳＰＬ（音圧）のｄＢの応答曲線を表わす。タイプＢの音響拡散装置１００は、３００Ｈｚより上ではタイプＡの音響拡散装置１００とほぼ同じ利得を有し、１００Ｈｚでは８ｄＢだけ低い利得、そして５０Ｈｚでは２２ｄＢだけ低い利得を有し、これは、低周波数におけるより低い強度のみならず、より広がりの小さい通過帯域の表われである。
【００５１】
有利にも、音響拡散装置１００は全体的に舞台１の枠に整列させられ、舞台１の上方に位置決定されている。これによって、一方では、舞台１の枠内に音響装置１００の視覚的印象を限定することができるばかりではなく、特に舞台１の最も近くにいる人が過度に高い音圧レベルに曝露されないようにすることができる。
【００５２】
図４は、本発明の第３の実施形態を例示する。
【００５３】
この実施形態において、空間的配設１０００はさらに、第１および第２のタイプＡおよびＢとは異なる音響拡散装置１００の第３のタイプＣを含む。音響拡散装置１００のこの第３のタイプＣは、単数または複数のオーディオ信号により伝送される第３のタイプＣの拡散装置１００が受信した音のバスおよびｉｎｆｒａ−ｇｒａｖｅｓ（インフラバス）を拡散するために適応されている。
【００５４】
タイプＣのこれらの音響拡散装置１００は、図１ｃ上で先に例示したように中心（基準位置、音響エンジニア）と残りの聴衆の間の大きなレベル格差を伴って非常に強い干渉を示す従来の左側／右側システムにおける、バスおよびｉｎｆｒａ−ｇｒａｖｅｓ（インフラバス）の拡散システムの包括的な効率不良に関する問題を解決することを可能にする。
【００５５】
好ましくは、第３のタイプＣの拡散装置は中央領域ＺＣ内に位置決定される。実際、従来の空間的構成では、楽器密度は中心においてより大きい。ところが、これらの楽器は典型的に、より多くの資源を、より特定的にはバス／ｉｎｆｒａ−ｇｒａｖｅｓ（インフラバス）において必要とする。これらの楽器の信号の周波数成分は、概して、バスにおいてより顕著である。
【００５６】
図５および６は、いくつかの楽器のｄＢｕの振幅、すなわち空間化ステップ前（すなわち空間化されたオーディオ信号の創出前）のこのような楽器に結び付けられた音の振幅を例示する。
【００５７】
いくつかの楽器が極めて優勢である（他に比べて３ｄＢ超）ことがよく分かる。これらの楽器は概して中心に、静止した形で設置されている。こうして、使用される空間化技術は、中央領域ＺＣ内に位置する音響拡散装置１００に接続されることになるオーディオ信号内でこれらの楽器のエネルギーの極めて大きな部分を分布させる傾向を有するものである。
【００５８】
図７は、ここでは互いに明確に異なるＮ個のオーディオ信号を含む空間化された音響信号を受信する７個の音響拡散装置１００（つまりＮ＝７）で構成され、各々の音響拡散装置１００が１つのオーディオ信号に結び付けられている空間的配設１０００の、音響拡散装置１００上のｄＢｕのエネルギー分布を例示している。先に明記されているように、場所、設置およびコストという明白な理由から、異なる楽器／オーディオ音源１台につき１個の、しかも楽器／オーディオ音源の真上に懸吊された音響拡散装置があることは非常に稀である。したがって、定義のところで示されているように、なかでも音の受信装置の数および位置、ならびに、舞台１との関係における音響拡散装置の数および位置／配設に応じた、コンサートの公開拡散の上流側におけるあらゆる音響創出プロセスが存在する。
【００５９】
Ｍを１以上の整数として、舞台１の左側のＭ個のスピーカシステムの第１の垂直方向スタック３と、第１のスタック３と同一の舞台１の右側のＭ個のスピーカシステム３の第２の垂直方向スタック３とを含むステレオ配設１０に置換する目的で、Ｘを２以上の整数として、空間的配設１０００が中央領域ＺＣ内に第１のタイプＡのＸ個の音響拡散装置１００を含み、こうして、これらの第１のタイプＡの音響拡散装置１００が２Ｍ／Ｘ以下の数量のスピーカシステムを含むようにすることが有利である。
【００６０】
その上、Ｙを１以上の整数として、ステレオ配設１０が、各々Ｙ個のサブバススピーカシステム４を含む同一の２つのセット４を含み、一方のセット４が舞台の左側に、もう一方のセット４が右側に配置されているのに対して、空間的配設１０００は、さらに、２Ｙ以下の数のサブバススピーカシステムを含んで、第３のタイプＣの音響拡散装置１００を構成することができる。
【００６１】
これら２つの事例を例示するため、図８ａは、従来のステレオ配設１０を表わす。このステレオ配設１０は、左側Ｇに垂直に積み上げられたＭ＝１８個のスピーカシステムと、右側Ｄに垂直に積み上げられたＭ＝１８個のスピーカシステムを含む。その上、このステレオ配設１０は、同様に、スピーカシステムの垂直方向スタック３の下でフロアの左側Ｇおよび右側Ｄに同じ方法で配置された２Ｙ＝２４個のサブバススピーカシステムも含んでいる。
【００６２】
このステレオ配設１０に置換できるようにする本発明の第４の実施形態が、図８ｂに提示されている。この実施形態では、空間的配設１０００は、第１のタイプＡのＸ＝３個の音響拡散装置１００を含み、各音響拡散装置は１２個のスピーカシステムで構成されている（すなわち、スピーカシステムの数量が２Ｍ／Ｘである場合）。その上、空間的配設１０００は同様に、第３のタイプＣの４つの音響拡散装置を構成する２４個のサブバススピーカシステムを含む（すなわち、サブバススピーカシステムの数が２Ｙに等しい場合）。これらの第３のタイプＣの音響拡散装置１００は、舞台の上方において第１のタイプＡの拡散装置の後方で、中央領域ＺＣの中に配置されている。最後に、この空間的配設１０００は同様に、側方領域ＺＬ１およびＺＬ２の中に位置する第２のタイプＢの２つの音響拡散装置も含んでいる。
【００６３】
前述のものと同様にして、図９ａは、従来のステレオ配設１０を表わす。このステレオ配設１０は、舞台１の左側Ｇおよび右側Ｄに配置されたＭ＝１２個のスピーカシステムの２つの垂直方向スタック３、ならびにスピーカシステムの垂直方向スタック３の下でフロアに、左側Ｇおよび右側Ｄに配置されたＹ＝６個のサブバススピーカシステムの同一の２つのセット４を含む。
【００６４】
図９ｂは、図９ａのステレオ配設１０に置換することのできる本発明の第４の実施形態の一変形形態を表わす。この実施形態では、空間的配設１０００は、各々がこの例において２Ｍ／Ｘ＝８個のスピーカシステムで構成された、舞台１の中央領域ＺＣ内のタイプＡのＸ＝３個の音響拡散装置１００を含む。側方領域ＺＬ１およびＺＬ２は、各々、ここでは１２個のスピーカシステムで構成されている第２のタイプＢの音響拡散装置を含む。最後に、空間的配設１０００は同様に、第３のタイプＣの２つの音響拡散装置を構成する１２個のサブバススピーカシステムを含む。これらの第３のタイプＣの音響拡散装置１００は、舞台の上方において第１のタイプＡの音響拡散装置の後方で、中央領域ＺＣ内に配置されている。
【００６５】
図１０は、本発明の第５の実施形態を表わす。
【００６６】
この新しい空間的配設１０００では、舞台１の中央領域ＺＣ内に、第１のタイプＡの音響拡散装置１００が２個だけ配置されている。側方領域ＺＬ１およびＺＬ２については、その各々が１つの第２のタイプＢの音響拡散装置１００ならびに１つの第４のタイプＥの音響拡散装置を含む。
【００６７】
音響拡散装置のこの第４のタイプＥは、概して、第２のタイプＢの音響拡散装置に比べてより小さい出力を有し、より少ないバス音を拡散する。実際、楽器はむしろ舞台１の中心に集中しており、舞台１の中心から離れれば離れるほど、音響拡散装置１００が高出力であるおよび／またはバス音を拡散するように寸法決定される必要性は低くなる。
【００６８】
図１１に提示されている本発明の第６の実施形態によると、第４のタイプＥの拡散装置が内部に位置付けされている２つの補足的な側方領域ＺＬ３およびＺＬ４が画定されている。
【００６９】
この事例において、空間的配設１０００は、中央領域ＺＣ内の３つの第１のタイプＡの音響拡散装置、ならびに今度は第１のタイプＡの音響拡散装置の前方に位置する２つの第３のタイプＣの音響拡散装置を含む。最後に、先の図の場合と同様、第１および第２の側方領域ＺＬ１およびＺＬ２は、各々、第２のタイプＢの音響拡散装置を含む。
【００７０】
この第６の実施形態によると、図７で先に提示された７つの空間化されたオーディオ信号のｄＢｕのエネルギー分布が完全に適応可能である。したがって、図７中の３〜５に付番されたオーディオ信号は、第１のタイプＡの音響拡散装置に結び付けられ、２および６に付番されたオーディオ信号は、第２のタイプＢの音響拡散装置に結び付けられ、１および７と付番されたオーディオ信号は、第４のタイプＥの音響拡散装置に結び付けられるであろう。
【００７１】
本発明の一実施形態は、第２に、ステレオ配設１０に置換するための上述の通りの舞台１用の音響拡散装置１００の最適化された空間的配設１０００を決定する方法に関する。
【００７２】
Ｍを１以上の整数として、ステレオ配設１０が、舞台の左側のＭ個のスピーカシステムの第１の垂直方向スタック３と、第１のスタック３と同一の舞台の右側のＭ個のスピーカシステムの第２の垂直方向スタック３とを含み、Ｎを厳密に３より大きい整数として、最適化された空間的配設１０００がＮ個の音響拡散装置１００を含み、空間的配設１０００が空間化された音響信号を拡散するために適応されており、空間化された音響信号が互いに明確に異なる（すなわちオーディオ信号が持つオーディオ情報に関して異なる）Ｎ個のオーディオ信号を含み、空間化された音響信号が拡散の上流側で実現される音響創出プロセスに由来しており、各々の音響拡散装置１００が１つのオーディオ信号を受信し、音響拡散装置１００がオーディオ信号を増幅し拡散するために適応されている場合、該方法は、図１２ａ〜１２ｃに例示されている通りの３つのステップを主として含む。
【００７３】
第１のステップＳ１００は、音響特性、特に固有最大音響出力が異なる少なくとも２つのタイプＡおよびＢを得るような形で音響拡散装置１００が選択される、選択ステップである。
【００７４】
第２のステップＳ２００は、少なくとも１つの中央領域ＺＣ、および、少なくとも２つの側方領域ＺＬ１、ＺＬ２を画定する、舞台１の幅全体の分割ステップである。
【００７５】
図１２ａ〜１２ｃに例示されているように、これらのステップＳ１００およびＳ２００は、連続的であるか、または、並行して推移することができ、これらのステップは互いに独立したものである。
【００７６】
第３のステップＳ３００は、Ｘという数の第１のタイプＡの音響拡散装置が中央領域ＺＣ内に配置される音響拡散装置１００の設置ステップである。これらの第１のタイプＡの音響拡散装置１００は、Ｘを２以上の整数として、２Ｍ／Ｘ以下の数量のスピーカシステムを含む。その上、Ｎ−Ｘという数の第２のタイプＢの音響拡散装置１００が側方領域ＺＬ１およびＺＬ２内に配置されている。
【００７７】
ステレオ配設１０が同様に、Ｙを１以上の整数として、各々Ｙ個のサブバススピーカシステムを含む２つの同一のセット４を含む場合に、一方のセット４は舞台１の左側に配置され、もう一方のセット４は右側に配置され、該方法はこうして以下のように修正される。
−  選択ステップＳ１００に際して、音響拡散装置１００は、第１および第２のタイプＡおよびＢとは音響特性が異なる第３のタイプＣも得るような形で選択され、
−  音響拡散装置１００の設置ステップＳ３００に際しては、第３のタイプＣの音響拡散装置を構成するための２Ｙ以下の数のサブバススピーカシステムが、中央領域ＺＣ内に配置される。
【符号の説明】
【００７８】
１  舞台
２  聴衆
３  スピーカシステムのスタック
４  サブバススピーカシステムセット
５  垂直二等分線
１０  ステレオ配設
１００  音響拡散装置
１０００  本発明に係る空間的配設
Ａ  タイプＡの音響拡散装置
Ｂ  タイプＢの音響拡散装置
Ｃ  タイプＣの音響拡散装置
Ｄ  右側拡散地点
Ｅ  タイプＥの音響拡散装置
Ｇ  左側拡散地点
Ｌ  舞台の幅
ＳＰＬ  （音圧）
ＺＢＳ  「優れた」空間化の領域
ＺＣ  中央領域
ＺＦＳ  「低」空間化の領域
ＺＬ１  側方領域１
ＺＬ２  側方領域２
ＺＬ３  側方領域３
ＺＬ４  側方領域４
ＺＭＳ  「中」空間化の領域
【図１ａ】
2021500790.tif 000003
【図１ｂ】
2021500790.tif 000004
【図１ｃ】
2021500790.tif 000005
【図２ａ】
2021500790.tif 000006
【図２ｂ】
2021500790.tif 000007
【図３ａ】
2021500790.tif 000008
【図３ｂ】
2021500790.tif 000009
【図４】
2021500790.tif 000010
【図５】
2021500790.tif 000011
【図６】
2021500790.tif 000012
【図７】
2021500790.tif 000013
【図８ａ】
2021500790.tif 000014
【図８ｂ】
2021500790.tif 000015
【図９ａ】
2021500790.tif 000016
【図９ｂ】
2021500790.tif 000017
【図１０】
2021500790.tif 000018
【図１１】
2021500790.tif 000019
【図１２ａ】
2021500790.tif 000020
【図１２ｂ】
2021500790.tif 000021
【図１２ｃ】
2021500790.tif 000022
【国際調査報告】
2021500790.tif 000023
2021500790.tif 000024
2021500790.tif 000025
2021500790.tif 000026